(57)【要約】【課題】  手軽に多種類の野菜類を摂取することを可能とする。【解決手段】  浅い凹部４を有しその開口縁に蓋片接着用縁部５を有する包装体本体１と、この包装体本体１の凹部４を閉鎖し前記蓋片接着用縁部５に剥離可能に接着して密封する蓋片２とを有し、前記包装体本体１の凹部４内に薄く形成された野菜ゼリー３を封入したことにある。【選択図】  図２
0003103316.tif 000002
【実用新案登録請求の範囲】
【請求項１】
浅い凹部を有しその開口縁に蓋片接着用縁部を有する包装体本体と、この包装体本体の凹部を閉鎖し前記蓋片接着用縁部に剥離可能に接着して密封する蓋片とを有し、前記包装体本体の凹部内に薄く形成された野菜ゼリーが、封入されていることを特徴とする野菜ゼリー包装体。
【請求項２】
前記包装体本体の凹部の深さが５〜１０ｍｍとされている請求項１記載の野菜ゼリー包装体。
【請求項３】
前記包装体本体の平面形状は、円形状、四角形、多角形、楕円形のいずれかであり、前記凹部は、円形状、四角形、多角形、楕円形のいずれかの形状を有することを特徴とする請求項１記載の野菜ゼリー包装体。
【考案の詳細な説明】
【技術分野】
【０００１】
本考案は野菜ゼリー包装体に関する。
【従来の技術】
【０００２】
サンドイッチやハンバーガーなど、パンに種々の食材を挟んで作られる食品にあっては、スライスハムや卵であれば簡単に作ることはできるが、野菜の場合は適度な大きさに切ったりスライスする必要がある。
【考案の開示】
【考案が解決しようとする課題】
【０００３】
しかして野菜を用いたサンドイッチやハンバーガーを作る場合、葉物では嵩張って食べる際に食べにくく、またトマトやキューリなどの野菜は薄くスライスすることが容易でなく、サンドイッチ用として適する形態とすることが面倒であり、つい敬遠され、その結果野菜の摂取量に不足をきたすことにもなる。
【０００４】
これらに対する対応策を示す文献は見当らない。
【０００５】
本考案は、野菜をサンドしたサンドイッチやハンバーガーなどを簡単に作ることができるとともに食べやすく、しかも多種類の野菜はもとより、食物繊維やカルシウム、ビタミン等の機能性素材をも加味して同時に摂取することを可能とし、家庭をはじめ業務用に使用して好適な野菜ゼリーを取り出しやすい包装形態として提供することを課題とする。
【課題を解決するための手段】
【０００６】
上記課題を解決する手段として本考案は、浅い凹部を有しその開口縁に蓋片接着用縁部を有する包装体本体と、この包装体本体の凹部を閉鎖し前記蓋片接着用縁部に剥離可能に接着して密封する蓋片とを有し、前記包装体本体の凹部内に薄く形成された野菜ゼリーを封入したことを特徴としている。
【０００７】
上記包装体本体の凹部の深さは５〜１０ｍｍ程度とし、野菜ゼリーもこの凹部内に納まる厚さとすることが野菜ゼリーを使用するうえで好ましい。
【０００８】
上記包装体本体の平面形状は、円形状、四角形、多角形、楕円形のいずれかであり、上記凹部は、円形状、四角形、多角形、楕円形のいずれかの形状を有することが野菜ゼリーを使用するうえで好ましい。
【０００９】
上記の構成としたことにより、サンドイッチを作る場合、包装体本体から蓋片を剥し、その浅い凹部内に納まっている野菜ゼリーを滑らせるように取り出してパンの上に載せ、その上にもう１枚のパンを載せることでサンドイッチが完成することになり、きわめて短時間で必要な野菜が挟ったサンドイッチを作ることができる。
【考案の効果】
【００１０】
以上説明したように本考案によれば、野菜を調理することなく各種の野菜をサンドイッチやハンバーガー用の食材として使用することができるので、手間が掛らず、直ちに食することができる。
【００１１】
また野菜ゼリーは薄く形成されているので、パンの間に挟みやすく、生野菜をそのまま使用した場合のように嵩張ることがなく、きわめて食べやすい形態とすることができ、携帯にも便利であるからハイキングや登山用の携行食品としての利用にも供することができる。
【００１２】
さらに野菜ゼリーに食物繊維やカルシウム、ビタミン等の機能性素材を加えてゼリーとすることが自由にできるので、単一種の野菜に較べ多種類の野菜を摂取しやすいものとなり、各種の栄養素を手軽に摂取することができる。
【００１３】
特に野菜ゼリーは包装体として密封されているので、賞味期間を長く保つことができ、保存食としての利用も可能とすることができる。
【考案を実施するための最良の形態】
【００１４】
以下、本考案を図面に示す実施の形態を参照して説明する。
【００１５】
本考案による野菜ゼリー包装体は、図１に底部側から見た外観例を、図２に断面図を示すように、包装体本体１と蓋片２と野菜ゼリー３とからなっている。
【００１６】
前記包装体本体１は、プラスチック、好ましくは透光性を有するプラスチックにより形成され、浅い凹部４と、この凹部４の開口縁に外方へ張り出して形成された接着用縁部５とを有している。なお上記包装体本体１の平面形状は、図示の円形状に限らず、四角形、多角形、楕円形等、任意の形状とすることができる。例えば、図４は上記包装体本体１の平面形状が四角形である場合を示す図である。なお、図４においては、平面形状が四角形である場合であって凹部４が浅い円柱状に形成した場合を示したが、図５に示すように、平面形状が四角形である場合であって凹部４が浅い方形柱状に形成するようにしてもよい。図１乃至図４に示す場合には円形状の野菜ゼリー３を得ることができるのに対し、図５に示すの場合には、方形状の野菜ゼリー３を得ることができる。
【００１７】
前記蓋片２は薄いフイルム状のもので、外面に金属蒸着膜を形成することによって通気性のない構造とされ、内面は前記包装体本体１の接着用縁部５に熱接着が可能な材質とされている。この蓋片２の外周の一部には突出部６が形成され、この突出部６が剥す際のつまみとなる。
【００１８】
前記包装体本体１の凹部４内には野菜ゼリー３が封入されている。
【００１９】
この野菜ゼリー３は、緑黄野菜をはじめ、他の各種野菜をミックスするなどして粉砕して液状としたものをゼラチン等の凝固剤によりゼリー状に固められたもので、必要に応じて食物繊維、カルシウム、ビタミン等の機能性素材を混合することができる。
【００２０】
したがってサンドイッチ等を作る際には、蓋片２の突出部６を持って包装体本体１から剥し、包装体本体１の凹部４内から野菜ゼリー３をパンの上に取り出し、その上にもう１枚のパンを重ねればサンドイッチが出来上がる。ハンバーガーの場合も、ハンバーグの上に野菜ゼリー３を載せるだけで野菜入りのハンバーガーとなる。
【００２１】
これにより生野菜を用いずとも各種の野菜を含むサンドイッチやハンバーガーを作ることができ、手間いらずで簡単に作ることができる。また包装体本体１内に包装された野菜ゼリー３は蓋片２により気密に封入されているので、賞味期間を長く（約６ヶ月）保つことができ、保存性に優れたものとなる。
【図面の簡単な説明】
【００２２】
【図１】本考案による野菜ゼリー包装体の一実施形態の底部側から見た斜視図。
【図２】同、断面図。
【図３】同、下面図。
【図４】本考案による野菜ゼリー包装体の他の実施形態の底部側から見た斜視図。
【図５】本考案による野菜ゼリー包装体のさらに他の実施の形態の底部側から見た斜視図。
【符号の説明】
【００２３】
１  包装体本体
２  蓋片
３  野菜ゼリー
４  凹部
５  蓋片接着用縁部
６  突出部
【図１】
0003103316.tif 000003
【図２】
0003103316.tif 000004
【図３】
0003103316.tif 000005
【図４】
0003103316.tif 000006
【図５】
0003103316.tif 000007